(57)【要約】【課題】一箇所に故障が発生した場合においても使用者が通電中の光源ランプに触れる危険性を回避することができるプロジェクタの提供。【解決手段】プロジェクタ１は、装置本体の駆動を制御する制御手段５と、ランプカバー検出手段７と、光源制御手段８とを備える。ランプカバー検出手段７は、ランプカバーが開放されたことをそれぞれ独立して検出する検出スイッチ７１Ａ，７１Ｂを備える。光源制御手段８は、開放判定部８１と、光源駆動部８２とを備える。開放判定部８１は、検出スイッチ７１Ａ，７１Ｂを、それぞれ独立して監視し、検出スイッチ７１Ａ，７１Ｂのうち、少なくともいずれかが、ランプカバーが開放されたことを検出すると、ランプカバーが開放されたと判定する。光源駆動部８２は、開放判定部８１によりランプカバーが開放されたと判定されると、光源ランプ４１６への電力供給を停止する。【選択図】図４
2008145699.tif 000002
【特許請求の範囲】
【請求項１】
光源と、光源から射出された光を画像情報に応じて変調して光学像を形成する光変調装置と、形成された光学像を拡大投射する投射光学装置と、装置本体を収納する筐体とを備えるプロジェクタであって、
前記光源を制御する光源制御手段を備え、
前記筐体には、当該筐体に形成された前記光源を挿抜する光源挿抜用の開口部を閉塞する着脱自在な蓋部材と、
前記蓋部材が開放されたことをそれぞれ独立して検出する複数の開放検出手段とが設けられ、
前記光源制御手段は、
前記複数の開放検出手段を、それぞれ独立して監視し、当該複数の開放検出手段のうち、少なくともいずれかの開放検出手段が、前記蓋部材が開放されたことを検出すると、当該蓋部材が開放されたと判定する開放判定部と、
前記開放判定部により前記蓋部材が開放されたと判定されると、前記光源への電力供給を停止する光源駆動部とを備えることを特徴とするプロジェクタ。
【請求項２】
請求項１に記載のプロジェクタにおいて、
前記装置本体を制御する制御手段を備え、
前記制御手段は、前記開放検出手段を介して前記光源制御手段に接続され、
前記開放検出手段は、前記蓋部材の着脱に応じて前記接続を導通または遮断するスイッチで構成され、
前記開放判定部は、前記接続の導通または遮断を検出すると、前記蓋部材が開放されたと判定することを特徴とするプロジェクタ。
【請求項３】
請求項１または請求項２に記載のプロジェクタにおいて、
前記光源駆動部により、前記光源への電力供給が停止されたことを報知する報知手段を備えることを特徴とするプロジェクタ。
【発明の詳細な説明】
【技術分野】
【０００１】
本発明は、プロジェクタに関する。
【背景技術】
【０００２】
従来、光源から射出された光を画像情報に応じて変調して光学像を形成し、当該光学像を拡大投射するプロジェクタが知られている。このようなプロジェクタの光源としては、メタルハライドランプ、高圧水銀ランプ等の放電型の光源ランプが利用されている。ここで、光源ランプには寿命があるので、近年のプロジェクタは、光源ランプを交換可能に構成されているのが一般的である。すなわち、光源ランプを内部に収納するプロジェクタの外装筐体には、光源ランプを挿抜するための開口部が形成されるとともに、この開口部には、蓋部材が設けられている。そして、プロジェクタの使用者は、蓋部材を開放し、開口部を介して光源ランプを交換する。
しかしながら、光源ランプを交換する際に、光源ランプに電力が供給されていると、使用者が通電中の光源ランプに触れる危険性があるという問題がある。
【０００３】
これに対して、蓋部材の開放を検出した場合に、光源ランプへの電力供給を停止するプロジェクタが知られている（例えば、特許文献１参照）。
特許文献１に記載のプロジェクタによれば、蓋部材の着脱をセンサにより検出し、センサからの出力信号を制御部に入力する。そして、制御部は、センサからの出力信号に応じて蓋部材が開放されたか否かを判定し、蓋部材が開放されたと判定した場合に、光源ランプを駆動する駆動部に制御信号を出力して光源ランプへの電力供給を停止する。このような構成によれば、蓋部材の開放に伴って光源ランプへの電力供給が停止されるので、蓋部材が開放されたときでも、使用者が通電中の光源ランプに触れる危険性を回避することができる。
【０００４】
【特許文献１】特開２００１−５７２９５号公報
【発明の開示】
【発明が解決しようとする課題】
【０００５】
しかしながら、特許文献１に記載のプロジェクタでは、例えば、センサからの出力信号、及び制御部からの制御信号の信号経路において、一箇所に故障が発生した場合に、光源ランプへの電力供給を停止することができなくなる場合があり、使用者が通電中の光源ランプに触れる危険性を回避することができなくなるという問題があった。
【０００６】
本発明では、一箇所に故障が発生した場合においても使用者が通電中の光源ランプに触れる危険性を回避することができるプロジェクタを提供することにある。
【課題を解決するための手段】
【０００７】
本発明のプロジェクタは、光源と、光源から射出された光を画像情報に応じて変調して光学像を形成する光変調装置と、形成された光学像を拡大投射する投射光学装置と、装置本体を収納する筐体とを備えるプロジェクタであって、前記光源を制御する光源制御手段を備え、前記筐体には、当該筐体に形成された前記光源を挿抜する光源挿抜用の開口部を閉塞する着脱自在な蓋部材と、前記蓋部材が開放されたことをそれぞれ独立して検出する複数の開放検出手段とが設けられ、前記光源制御手段は、前記複数の開放検出手段を、それぞれ独立して監視し、当該複数の開放検出手段のうち、少なくともいずれかの開放検出手段が、前記蓋部材が開放されたことを検出すると、当該蓋部材が開放されたと判定する開放判定部と、前記開放判定部により前記蓋部材が開放されたと判定されると、前記光源への電力供給を停止する光源駆動部とを備えることを特徴とする。
【０００８】
このような構成によれば、光源制御手段は、開放判定部と、光源駆動部とを備え、光源駆動部は、開放判定部により蓋部材が開放されたと判定されたときに、光源への電力供給を停止する。すなわち、蓋部材の開放に伴って光源への電力供給が停止されるので、使用者が通電中の光源ランプに触れる危険性を回避することができる。
また、開放判定部は、複数の開放検出手段を、それぞれ独立して監視し、複数の開放検出手段のうち、少なくともいずれかの開放検出手段が、蓋部材が開放された（取り外された）ことを検出したときに、蓋部材が開放されたと判定する。これによれば、一箇所に故障が発生した場合においても、開放判定部は、複数の開放検出手段のうち、いずれかの開放検出手段により、蓋部材が開放されたことを検出することができる。したがって、使用者が通電中の光源ランプに触れる危険性を確実に回避することができる。
【０００９】
また、一箇所に故障が発生した場合に、光源ランプへの電力供給を停止することができなくなるプロジェクタにおいては、使用者が通電中の光源ランプに触れたとしても危険が及ばないように、光源ランプを装着するランプソケットの大きさや形状を変更している。
すなわち、ランプソケットの大きさや形状を調節することにより、光源ランプに電力を供給する端子と、光源ランプの交換をする際に使用者が触れるランプソケットの端面との間に所定の絶縁距離を設けている。
【００１０】
ここで、光源ランプを駆動するような高圧回路においては、安全規格上、絶縁耐圧試験を行う必要性がある場合がある。
これに対して、一箇所に故障が発生した場合においても、光源ランプへの電力供給を停止することができる「No Single Point of Failure」の構成を実現した場合には、使用者が通電中の光源ランプに触れる危険性を確実に回避することができるので、ランプソケットの大きさや形状を調節して所定の絶縁距離を設ける必要がなく、ランプソケットを小型化することができる。したがって、プロジェクタの省スペース化を実現することができる。
【００１１】
本発明では、前記装置本体を制御する制御手段を備え、前記制御手段は、前記開放検出手段を介して前記光源制御手段に接続され、前記開放検出手段は、前記蓋部材の着脱に応じて前記接続を導通または遮断するスイッチで構成され、前記開放判定部は、前記接続の導通または遮断を検出すると、前記蓋部材が開放されたと判定することが好ましい。
【００１２】
ここで、前述した特許文献１に記載のプロジェクタでは、制御部は、センサからの出力信号に応じて蓋部材が開放されたか否かを判定し、蓋部材が開放されたと判定した場合に、光源ランプを駆動する駆動部に制御信号を出力して光源ランプへの電力供給を停止する。このため、制御部は、回路構成が複雑となるだけでなく、複雑な処理を行う必要がある。これに対して、本発明では、開放検出手段は、蓋部材の着脱に応じて、制御手段と、光源制御手段との接続を導通または遮断するスイッチで構成され、開放判定部は、制御手段と、光源制御手段との接続の導通または遮断を検出すると、蓋部材が開放されたと判定する。これによれば、制御手段は、回路構成が簡素化され、複雑な処理を行うことなく、蓋部材の開放に伴って光源への電力供給を停止することができる。
【００１３】
本発明では、前記光源駆動部により、前記光源への電力供給が停止されたことを報知する報知手段を備えることが好ましい。
このような構成によれば、プロジェクタの使用者は、光源ランプを交換する際に、光源ランプに電力が供給されているか否かを報知手段により確認することができるので、使用者が通電中の光源ランプに触れる危険性を、より確実に回避することができる。
【発明を実施するための最良の形態】
【００１４】
以下、本発明の一実施形態を、図面に基づいて説明する。
［プロジェクタ１の構成］
図１は、本実施形態に係るプロジェクタ１を上方前面側から見た斜視図である。図２は、プロジェクタ１を下方前面側から見た斜視図である。
プロジェクタ１は、光源から射出された光を画像情報に応じて変調し、スクリーン等の投射面上に拡大投射する。このプロジェクタ１は、図１、及び図２に示すように、略直方体状の外装ケース２と、この外装ケース２から露出する投射レンズ３とを備えている。また、図１、及び図２では図示を省略したが、外装ケース２内部には、光学像を形成する光学ユニット４と、投射レンズ３、及び光学ユニット４から構成される装置本体の駆動を制御する制御手段５（図４参照）と、プロジェクタ１全体に電力を供給する電源ユニット６（図４参照）とを備えている。
投射光学装置としての投射レンズ３は、外装ケース２の内部に収納された装置本体により形成された光学像を拡大投射する。この投射レンズ３は、筒状の鏡筒内に複数のレンズが収納された組レンズとして構成されている。
【００１５】
［外装ケース２の構成］
外装ケース２は、合成樹脂製の筐体であり、プロジェクタ１の装置本体を収納する。この外装ケース２は、図１、及び図２に示すように、プロジェクタ１の上側に位置するアッパーケース１１と、プロジェクタ１の下側に位置するロアーケース１２とを備えている。これらアッパーケース１１、及びロアーケース１２は、ねじ等により固定され、適宜着脱可能に構成されている。
【００１６】
アッパーケース１１は、図１、及び図２に示すように、操作パネル１４、複数の孔１５、排気口１６、及びリモコン受光窓１７を備える。
操作パネル１４は、アッパーケース１１の上面の後方側略中央部分に、左右方向に延びるように設けられ、プロジェクタ１の起動・調整操作を実施する。
複数の孔１５は、アッパーケース１１の上面の前方側略中央部分に形成され、この内側に配置されるスピーカ（図示省略）から音声が出力される。
排気口１６は、アッパーケース１１の前面から見て左側部分に形成され、内部に配置される冷却ファン（図示省略）から排気される空気が排出される。
【００１７】
リモコン受光窓１７は、アッパーケース１１の前面から見て略中央部分に形成されている。そして、このリモコン受光窓１７の内側には、リモコン（図示省略）からの操作信号を受信するリモコン受光モジュール（図示省略）が配置されている。
なお、リモコン受光モジュールは、制御手段５と電気的に接続され、リモコン受光モジュールにて受信した操作信号は、制御手段５に出力される。また、図示は省略するが、これらリモコン受光窓１７、及びリモコン受光モジュールは、プロジェクタ１の背面側にも設けられ、プロジェクタ１の前方、及び後方の双方から遠隔操作を実施できるように構成されている。
【００１８】
ロアーケース１２は、ランプカバー２１、吸気口２２、ハンドル２３、及びＬＥＤ（Light Emitting Diode）２４を備える。
蓋部材としてのランプカバー２１は、ロアーケース１２の底面の左側略中央部分に形成された光源挿抜用の開口部２１Ａを覆うように着脱自在に設けられている。この開口部２１Ａを介して外装ケース２内部には、後述する光源装置４１１が収納される。また、この開口部２１Ａには、図２においては図示を省略するが、ランプカバー２１の着脱を検出する開放検出手段としての検出スイッチ７１Ａ，７１Ｂが二箇所に設けられている。なお、検出スイッチ７１Ａ，７１Ｂについては、後に詳述する。
【００１９】
吸気口２２は、ロアーケース１２の底面の下方から見て右側で後方側の隅部に形成され、外部から空気を吸入する。この吸気口２２の内側には、図示を省略したが、プロジェクタ１外部の空気を吸引して、プロジェクタ１内部の発熱部品を冷却する冷却ファンが設けられている。また、吸気口２２には、この吸気口２２を覆う吸気口カバー２２Ａが着脱自在に設けられている。この吸気口カバー２２Ａには、複数の開口２２Ｂが形成されている。そして、複数の開口２２Ｂの内側には、図示しないエアフィルタが設けられており、プロジェクタ１内部への塵埃の侵入を防止している。
【００２０】
ハンドル２３は、ロアーケース１２の底面の前方側略中央部分に形成された２つの膨出部２３Ａに収納されており、プロジェクタ１を運搬する際には、投射レンズ３の投射方向に引き出されて利用される。
報知手段としてのＬＥＤ２４は、ロアーケース１２の底面の略中央部分で、かつ、ランプカバー２１の近傍位置に設けられ、後述する光源ランプ４１６への電力供給が停止されたことを報知するものである。なお、ＬＥＤ２４は、光源ランプ４１６への電力供給が停止された場合に点灯する。また、ＬＥＤ２４の点灯制御については、後に詳述する。
【００２１】
［光学ユニット４の構成］
図３は、光学ユニット４の光学系を模式的に示す図である。
光学ユニット４は、前述したように、外装ケース２内部に収納され、光源装置から射出された光を画像情報に応じて変調して光学像を形成し、投射レンズ３を介してスクリーン等に投射画像を形成するものである。
この光学ユニット４は、図３に示すように、インテグレータ照明光学系４１と、色分離光学系４２と、リレー光学系４３と、光変調装置、及び色合成光学装置を一体化した光学装置４４と、これら光学部品４１，４２，４３，４４を内部に収納配置する光学部品用筐体（図示省略）とを備えて構成されている。
【００２２】
インテグレータ照明光学系４１は、光源から射出された光の照度を均一にするための光学系である。このインテグレータ照明光学系４１は、図３に示すように、光源装置４１１、第１レンズアレイ４１２、第２レンズアレイ４１３、偏光変換素子４１４、及び重畳レンズ４１５を備えて構成される。
光源装置４１１は、光源としての光源ランプ４１６と、リフレクタ４１７と、このリフレクタ４１７の光射出面を覆う防爆ガラス４１８とを備えている。
この光源装置４１１では、光源ランプ４１６から射出された放射状の光は、リフレクタ４１７で反射されて略平行光とされ、防爆ガラス４１８を介して外部に射出される。
【００２３】
第１レンズアレイ４１２は、照明光軸方向から見てほぼ矩形状の輪郭を有する小レンズがマトリクス状に配列された構成を具備している。各小レンズは、光源ランプ４１６から射出された光を部分光に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００２４】
偏光変換素子４１４は、第２レンズアレイ４１３からの光を略１種類の直線偏光に変換するものであり、これにより、光学装置４４での光の利用効率が高められている。
具体的には、偏光変換素子４１４によって略１種類の直線偏光に変換された各部分光は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光の略半分が利用されない。このため、偏光変換素子４１４を用いることにより、光源ランプ４１６から射出された光を略１種類の直線偏光に変換して、光学装置４４における光の利用効率を高めている。
【００２５】
色分離光学系４２は、２枚のダイクロイックミラー４２１，４２２と、反射ミラー４２３とを備える。インテグレータ照明光学系４１から射出された複数の部分光は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００２６】
この際、色分離光学系４２のダイクロイックミラー４２１では、インテグレータ照明光学系４１から射出された光のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光をその中心軸（主光線）に対して平行な光に変換する。他の液晶パネル４４１Ｇ，４４１Ｂの光入射側に設けられたフィールドレンズ４２４も同様である。
【００２７】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路の長さよりも長いため、光の発散等による光の利用効率の低下を防止するためである。すなわち、入射側レンズ４３１に入射した部分光をそのまま、フィールドレンズ４２４に伝えるためである。なお、リレー光学系４３には、３つの色光のうちの青色光を通す構成としたが、これに限らず、例えば、赤色光を通す構成としてもよい。
【００２８】
光学装置４４は、入射された光を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂ、及び射出側偏光板４４４と、色合成光学装置としてのクロスダイクロイックプリズム４４５とを備える。
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２、及び視野角補正板４４３を介して入射する光を画像情報に応じて変調して射出する。
【００２９】
入射側偏光板４４２は、色分離光学系４２で分離された各色光のうち、一定方向の偏光光のみ透過させ、その他の光を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光のうち、所定方向の偏光光のみ透過させ、その他の光を吸収するものであり、透過させる偏光光の偏光軸は、入射側偏光板４４２における透過させる偏光光の偏光軸に対して直交するように設定されている。
【００３０】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投射画像の視野角が拡大され、かつ投射画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
なお、液晶パネル４４１Ｒ，４４１Ｇ，４４１Ｂ、射出側偏光板４４４、及びクロスダイクロイックプリズム４４５は、一体的にユニット化されている。
【００３１】
［光源ランプ４１６の駆動制御］
図４は、プロジェクタ１の概略構成を示すブロック図である。
プロジェクタ１は、図４に示すように、制御手段５と、電源ユニット６と、ランプカバー検出手段７と、光源制御手段８を有するランプ駆動回路９を備える。
制御手段５は、プロジェクタ１の装置本体の駆動を制御するものであり、図示しないＣＰＵ（Central Processing Unit）等で構成される。
電源ユニット６は、プロジェクタ１全体に電力を供給するものであり、ＡＣコネクタ６１を備える。電源ユニット６は、ＡＣコネクタ６１にＡＣ電源が接続されると、図示しない整流器によりＡＣ（Alternating Current）電源をＤＣ（Direct Current）電源に変換してプロジェクタ１全体に供給する。
ランプカバー検出手段７は、ランプカバー２１が開放されたことをそれぞれ独立して検出する検出スイッチ７１Ａ，７１Ｂを備える。
ランプ駆動回路９は、光源ランプ４１６に電源ユニット６から供給される電力を供給して駆動するものであり、このランプ駆動回路９上に配置されるマイクロコンピュータから構成される光源制御手段８を備える。
【００３２】
光源制御手段８は、光源ランプ４１６の駆動を制御するものであり、開放判定部８１と、光源駆動部８２と、ＬＥＤ駆動部８３とを備える。
開放判定部８１は、検出スイッチ７１Ａ，７１Ｂを、それぞれ独立して監視し、検出スイッチ７１Ａ，７１Ｂのうち、少なくともいずれかが、ランプカバー２１が開放されたことを検出すると、ランプカバー２１が開放されたと判定する。
光源駆動部８２は、開放判定部８１によりランプカバー２１が開放されたと判定されると、光源ランプ４１６への電力供給を停止する。
ＬＥＤ駆動部８３は、ＬＥＤ２４の駆動を制御するものであり、光源ランプ４１６への電力供給が停止された場合に、ＬＥＤ２４を点灯させる。
【００３３】
ここで、図５は、制御手段５、ランプカバー検出手段７、及び光源制御手段８の接続状態を示す概略図である。
制御手段５は、電源ユニット６にて供給される電源５１Ａ，５１Ｂが接続される電源端子５２Ａ，５２Ｂと、グランドに接続されるグランド端子５３Ａ，５３Ｂとを有するコネクタ５４を備える。
電源端子５２Ａは、検出スイッチ７１Ａに接続され、電源端子５２Ｂは、検出スイッチ７１Ｂに接続される。
【００３４】
ここで、検出スイッチ７１Ａ，７１Ｂは、プッシュスイッチで構成されており、押し込まれた状態でランプカバー２１に当接している。したがって、検出スイッチ７１Ａ，７１Ｂは、ランプカバー２１が取り付けられた場合には接続を遮断し、ランプカバー２１が開放された場合には接続を導通する。
なお、本実施形態では、検出スイッチ７１Ａ，７１Ｂは、プッシュスイッチで構成されるとしたが、他の接触型スイッチや、フォトセンサ、及び赤外線センサ等の非接触型スイッチによって構成してもよい。
【００３５】
光源制御手段８は、電源を供給する電源ポート８４Ａ，８４Ｂと、電圧レベルをＨｉｇｈ／Ｌｏｗで検出する電圧検出ポート８５Ａ，８５Ｂとを備える。また、電圧検出ポート８５Ａ，８５Ｂには、図示しないプルダウン抵抗が接続される。
ここで、ランプ駆動回路９は、前述の光源制御手段８の他、コネクタ９１と、フォトカプラ９２Ａ，９２Ｂとを備える。
コネクタ９１は、接続端子９３Ａ，９３Ｂと、接続端子９４Ａ，９４Ｂとを備える。接続端子９３Ａは、検出スイッチ７１Ａに接続され、接続端子９３Ｂは、検出スイッチ７１Ｂに接続される。また、接続端子９４Ａは、グランド端子５３Ａに接続され、接続端子９４Ｂは、グランド端子５３Ｂに接続される。
【００３６】
フォトカプラ９２Ａ，９２Ｂは、発光素子９５Ａ，９５Ｂと、受光素子９６Ａ，９６Ｂとを備え、入力された電気信号により発光素子９５Ａ，９５Ｂを発光させ、その光で受光素子９６Ａ，９６Ｂを導通させることにより信号の伝達を行うものである。
発光素子９５Ａのアノードは、接続端子９３Ａに接続され、カソードは、接続端子９４Ａに接続される。また、発光素子９５Ｂのアノードは、接続端子９３Ｂに接続され、カソードは、接続端子９４Ｂに接続される。
【００３７】
受光素子９６Ａのコレクタは、電源ポート８４Ａに接続され、受光素子９６Ｂのコレクタは、電源ポート８４Ｂに接続される。
また、受光素子９６Ａのエミッタは、電圧検出ポート８５Ａに接続され、受光素子９６Ｂのエミッタは、電圧検出ポート８５Ｂに接続される。そして、電圧検出ポート８５Ａ，８５Ｂは、受光素子９６Ａ，９６Ｂのエミッタの電圧レベルをＨｉｇｈ／Ｌｏｗで検出することができる。
【００３８】
以上のように、制御手段５は、検出スイッチ７１Ａ，７１Ｂを介して光源制御手段８に接続される。なお、本実施形態では、制御手段５が、検出スイッチ７１Ａを介して光源制御手段８に接続される経路を監視経路１０Ａとし、制御手段５が、検出スイッチ７１Ｂを介して光源制御手段８に接続される経路を監視経路１０Ｂとする。そして、検出スイッチ７１Ａ，７１Ｂは、ランプカバー２１の着脱に応じて監視経路１０Ａ，１０Ｂを導通または遮断する。
【００３９】
次に、光源制御手段８による光源ランプ４１６、及びＬＥＤ２４の駆動制御について、図６のフローチャートをも参照して説明する。
図６は、光源制御手段８による光源ランプ４１６、及びＬＥＤ２４の駆動制御を示すフローチャートである。
光源制御手段８は、以下のステップＳＴ１〜ＳＴ３を実行することにより、光源ランプ４１６、及びＬＥＤ２４の駆動制御を実行する。
【００４０】
まず、開放判定部８１は、電圧検出ポート８５Ａ，８５Ｂを介して受光素子９６Ａ，９６Ｂのエミッタの電圧レベルをＨｉｇｈ／Ｌｏｗで検出することにより、監視経路１０Ａ，１０Ｂの導通または遮断を検出し、ランプカバー２１が開放されたか否かを判定する（ステップＳＴ１）。
ここで、開放判定部８１は、監視経路１０Ａ，１０Ｂの導通または遮断を、それぞれ同じ方法で検出するので、以下の説明では、監視経路１０Ａの導通または遮断を検出する方法について説明する。
【００４１】
まず、ランプカバー２１が取り付けられた場合には、電源５１Ａから発光素子９５Ａを介してグランド端子５３Ａに至る回路は、検出スイッチ７１Ａにより遮断され、電流が流れないので、発光素子９５Ａは発光しない。したがって、電源ポート８４Ａから受光素子９６Ａを介して電圧検出ポート８５Ａに至る回路にも電流が流れないので、受光素子９６Ａのエミッタの電圧レベルは、電圧検出ポート８５Ａに接続されたプルダウン抵抗により、Ｌｏｗレベルとなる。
【００４２】
一方、ランプカバー２１が開放された場合には、電源５１Ａから発光素子９５Ａを介してグランド端子５３Ａに至る回路は、検出スイッチ７１Ａにより導通され、電流が流れるので、発光素子９５Ａは発光する。したがって、電源ポート８４Ａから受光素子９６Ａを介して電圧検出ポート８５Ａに至る回路に電流が流れるので、受光素子９６Ａのエミッタの電圧レベルは、電圧検出ポート８５Ａに接続されたプルダウン抵抗により、Ｈｉｇｈレベルとなる。
【００４３】
したがって、開放判定部８１は、電圧検出ポート８５Ａを監視し、受光素子９６Ａのエミッタの電圧レベルがＬｏｗであった場合には、監視経路１０Ａが遮断されたことを検出し、Ｈｉｇｈであった場合には、監視経路１０Ａが導通されたことを検出する。すなわち、開放判定部８１は、電圧検出ポート８５Ａを監視することにより、ランプカバー２１の着脱状態を検出することができる。
また、開放判定部８１は、電圧検出ポート８５Ｂを監視することにより、電圧検出ポート８５Ａを監視する場合と同様の方法で、ランプカバー２１の着脱状態を検出することができる。
そして、開放判定部８１は、監視経路１０Ａ，１０Ｂのうち、いずれか一方が導通されたことを検出したときに、ランプカバー２１が開放されたと判定する。また、開放判定部８１は、監視経路１０Ａ，１０Ｂのうち、いずれもが遮断されたことを検出したときに、ランプカバー２１が取り付けられたと判定する。
【００４４】
開放判定部８１により、ランプカバー２１が開放されたと判定されると、光源駆動部８２は、光源ランプ４１６への電力供給を停止（ＯＦＦ）し、ＬＥＤ駆動部８３は、ＬＥＤ２４を点灯する（ステップＳＴ２）。
一方、開放判定部８１により、ランプカバー２１が取り付けられたと判定されると、光源駆動部８２は、光源ランプ４１６への電力供給を開始（ＯＮ）し、ＬＥＤ駆動部８３は、ＬＥＤ２４を消灯する（ステップＳＴ３）。
そして、ステップＳＴ２、及びステップＳＴ３の実行後は、再度、ステップＳＴ１が実行される。
【００４５】
本実施形態に係るプロジェクタ１によれば、次のような効果がある。
（１）ランプカバー２１の開放に伴って光源ランプ４１６への電力供給が停止されるので、ランプカバー２１が開放されたときでも、使用者が通電中の光源ランプ４１６に触れる危険性を回避することができる。
（２）開放判定部８１は、検出スイッチ７１Ａ，７１Ｂをそれぞれ独立して監視し、ランプカバー２１が開放されたか否かを判定するので、一箇所に故障が発生した場合においても、開放判定部８１は、検出スイッチ７１Ａ，７１Ｂのうち、いずれかにより、ランプカバー２１が開放されたことを検出することができる。したがって、使用者が通電中の光源ランプに触れる危険性を確実に回避することができる。
【００４６】
（３）使用者が通電中の光源ランプ４１６に触れる危険性を確実に回避することができるので、ランプソケットの形状を調節して所定の絶縁距離を設ける必要がなく、ランプソケットを小型化することができる。したがって、プロジェクタの省スペース化を実現することができるとともに、光源ランプ４１６の挿抜が容易になる。
（４）開放判定部８１は、監視経路１０Ａ，１０Ｂの導通または遮断を検出すると、ランプカバー２１が開放されたと判定するので、制御手段５は、回路構成が簡素化され、複雑な処理を行うことなく、ランプカバー２１の開放に伴って光源ランプ４１６への電力供給を停止することができる。
（５）プロジェクタ１の使用者は、光源ランプ４１６を交換する際に、光源ランプ４１６に電力が供給されているか否かをＬＥＤ２４により確認することができるので、使用者が通電中の光源ランプ４１６に触れる危険性を、より確実に回避することができる。
【００４７】
［実施形態の変形］
なお、本発明は前記実施形態に限定されるものではなく、本発明の目的を達成できる範囲での変形、改良等は本発明に含まれるものである。
前記実施形態では、検出スイッチ７１Ａ，７１Ｂを二箇所に設けていたが、これ以上の数を設けてもよい。
前記実施形態では、開放判定部８１は、マイクロコンピュータの制御により、ランプカバー２１が開放されたか否かを判定していたが、例えば、マイクロコンピュータによる制御を行うことなく、電気回路によりランプカバー２１が開放されたか否かを判定してもよく、要するに、蓋部材が開放されたか否かを判定する開放判定部を備えていればよい。
また、前記実施形態では、ＬＥＤ２４により、光源ランプ４１６に電力が供給されているか否かを使用者に報知していたが、例えば、音声などにより報知してもよく、要するに、光源ランプ４１６に電力が供給されているか否かを使用者に報知することができればよい。また、光源ランプ４１６に電力が供給されているか否かを使用者に報知しなくてもよい場合には、報知手段は設けなくてもよい。
【００４８】
前記実施形態では、光入射面と光射出面とが異なる透過型の液晶パネル４４１Ｒ，４４１Ｇ，４４１Ｂを用いていたが、光入射面と光射出面とが同一となる反射型の液晶パネルを用いてもよい。
また、前記実施形態では、光変調装置として液晶パネル４４１Ｒ，４４１Ｇ，４４１Ｂを用いていたが、マイクロミラーを用いたデバイスなど、液晶以外の光変調装置を用いてもよい。
前記実施形態では、スクリーンを観察する方向から投射を行うフロントタイプのプロジェクタ１を例示したが、本発明は、スクリーンを観察する方向とは反対側から投射を行うリアタイプのプロジェクタにも適用可能である。
【産業上の利用可能性】
【００４９】
本発明は、プロジェクタに利用でき、特に光源を交換可能に構成されたプロジェクタに好適に利用することができる。
【図面の簡単な説明】
【００５０】
【図１】本実施形態に係るプロジェクタを上方前面側から見た斜視図。
【図２】同プロジェクタを下方前面側から見た斜視図。
【図３】光学ユニットの光学系を模式的に示す図。
【図４】プロジェクタの概略構成を示すブロック図。
【図５】制御手段、ランプカバー検出手段、及び光源制御手段の接続状態を示す概略図。
【図６】光源制御手段による光源ランプ、及びＬＥＤの駆動制御を示すフローチャート。
【符号の説明】
【００５１】
１…プロジェクタ、２…外装ケース、３…投射レンズ、４…光学ユニット、５…制御手段、７…ランプカバー検出手段、８…光源制御手段、２１…ランプカバー、２１Ａ…開口部、２４…ＬＥＤ、７１Ａ…検出スイッチ、７１Ｂ…検出スイッチ、８１…開放判定部、８２…光源駆動部、８３…ＬＥＤ駆動部、４１６…光源ランプ、４４１Ｒ…液晶パネル、４４１Ｇ…液晶パネル、４４１Ｂ…液晶パネル。
【図１】
2008145699.tif 000003
【図２】
2008145699.tif 000004
【図３】
2008145699.tif 000005
【図４】
2008145699.tif 000006
【図５】
2008145699.tif 000007
【図６】
2008145699.tif 000008